(57)【特許請求の範囲】
【請求項１】
樋本体の前壁の中程を外側に張り出すように形成し、該前壁の下前壁を斜め上方に延出するようにして樋本体の長手方向に連続する突出壁を形成し、樋本体の上前壁の上面と突出壁の内面とにより樋本体の端部に向けて雨水を導く副雨水通路を形成した樋本体を接続するための接続部材において、接続部材の前片の中程を外側に張り出すように形成するとともに、該前片の上前片を接続部材の端部に向けて傾斜して形成することにより、前片の上前片に降りかかった雨水を、前記樋本体の副雨水通路に導入するようにしたことを特徴とする雨樋の接続部材。
【請求項２】
前片の下前片を延出するようにして接続部材の長手方向に連続する突出部を形成し、接続部材の上前片の上面と突出部の内面とにより、前片の上前片に降りかかった雨水を樋本体の副雨水通路に向けて導く副雨水通路を形成したことを特徴とする請求項１記載の雨樋の接続部材。
【請求項３】
請求項１又は２記載の雨樋の接続部材を用いた接続構造において、樋本体の副雨水通路を、樋本体の端部に配設した接続部材の位置で、樋本体に形成した主雨水通路に連通するようにしたことを特徴とする雨樋の接続構造。
【請求項４】
樋本体の副雨水通路を、接続部材により隣接する樋本体同士が接触しないように接続することにより形成した、隣接する樋本体間の隙間を介して、樋本体に形成した主雨水通路に連通するようにしたことを特徴とする請求項３記載の雨樋の接続構造。
【発明の詳細な説明】
【０００１】
【発明の属する技術分野】
本発明は、雨樋の接続部材の外側面を伝って軒下に直接落下することを防止するようにした雨樋の接続部材及びその接続構造に関するものである。
【０００２】
【従来の技術】
近年の住宅のデザインの多様化、近代化に伴い、雨樋の形状も、従来の略半円形の断面形状を有するものだけでなく、種々の形状のものが実用化されている。
このうち、特に、住宅の軒先の意匠性を向上することを目的として、屋根との一体感をもたせるために樋本体の外側面を後方に傾斜した異形の断面形状を有する雨樋が提案されている。
【０００３】
【発明が解決しようとする課題】
ところで、上記異形の断面形状を有する雨樋の場合、意匠性の点では優れてはいるものの、樋本体に降りかかった雨水が、樋本体の外側面を伝って軒下に直接落下するとともに、樋本体の外側面を伝わる雨水によって樋本体の外側面が汚れることによって、外観が悪化するという問題点があった。
【０００４】
ところで、この問題点を解決するために、例えば、特開平３ー２１７５４７号公報には、雨樋の樋本体の前壁に凹字溝形又は段状の止水面を形成するとともに、この止水面の底部に透孔を形成して、止水面において受け止めた雨水を樋本体に形成した雨水通路に導入するようにした雨樋が提案されている。
この雨樋の場合、樋本体の各壁の断面形状を直線状に形成しているため、樋本体の変形が大きく、また、各壁が撓むことにより樋本体と接続部材の密着性が悪く、漏水が発生しやすいという問題点があった。
また、止水面の底部に形成する透孔によって雨樋の強度が低下しないように、形成する透孔の数や大きさに制約があることから、透孔が詰まりやすく、止水面において受け止めた雨水が滞留したり、大雨のときに雨水が溢れるおそれがあるとともに、止水面より下方に樋本体の膨出部が存在し、樋本体の外側面を伝わる雨水によって樋本体の外側面が汚れることを完全には排除することができず、依然として、雨樋の外観が悪化するという問題点があった。
さらに、止水面の底部に透孔を形成するために、雨樋の製造方法との関係で雨樋の製造コストが上昇するという問題点があった。
【０００５】
本件出願人は、上記従来の雨樋の有する問題点に対処するために、雨樋の樋本体の前壁の中程を外側に張り出すように形成し、この前壁の下前壁を斜め上方に延出するようにして樋本体の長手方向に連続する突出壁を形成し、樋本体の上前壁の上面と突出壁の内面とにより樋本体の端部に向けて雨水を導く副雨水通路を形成し、この樋本体の副雨水通路を、樋本体の端部に配設した接続部材の位置で、樋本体に形成した主雨水通路に連通するようにした雨樋を提案した（特願平９−２４６１９９号参照）。
【０００６】
この雨樋は、雨水が雨樋の外側面を伝って軒下に直接落下することを、樋本体に副雨水通路を形成することにより確実に防止するとともに、副雨水通路に受け止めた雨水を、樋本体の端部に配設した接続部材の位置で、樋本体に形成した主雨水通路に導入することにより、樋本体に形成した雨水通路に導入するための透孔を無くし、断面形状を均一化することにより雨樋の製造コストを低廉化することができるという顕著な作用効果を奏するものである。
【０００７】
しかしながら、樋本体の端部に配設した接続部材には、雨水が接続部材の外側面を伝って軒下に直接落下することを防止するための方策が講じられていないため、接続部材に降りかかった雨水が、接続部材の外側面を伝って軒下に直接落下するとともに、接続部材の外側面を伝わる雨水によって接続部材の外側面が汚れることによって、外観が悪化するという問題点があった。
【０００８】
本発明は、上記の雨樋の接続部材の有する問題点に鑑み、雨水が雨樋の接続部材の外側面を伝って軒下に直接落下することを確実に防止することができるとともに、接続部材に受け止めた雨水を樋本体に形成した副雨水通路に導入して排水できるようにした雨樋の接続部材及びその接続構造を提供することを目的とする。
【０００９】
【課題を解決するための手段】
上記目的を達成するため、本発明の雨樋の接続部材は、樋本体の前壁の中程を外側に張り出すように形成し、該前壁の下前壁を斜め上方に延出するようにして樋本体の長手方向に連続する突出壁を形成し、樋本体の上前壁の上面と突出壁の内面とにより樋本体の端部に向けて雨水を導く副雨水通路を形成した樋本体を接続するための接続部材において、接続部材の前片の中程を外側に張り出すように形成するとともに、該前片の上前片を接続部材の端部に向けて傾斜して形成することにより、前片の上前片に降りかかった雨水を、前記雨樋の副雨水通路に導入するようにしたことを特徴とする。
【００１０】
この雨樋の接続部材は、接続部材の前片の中程を外側に張り出すように形成するとともに、この前片の上前片に降りかかった雨水を、雨樋の副雨水通路に導入するように構成することにより、雨水が雨樋の接続部材の外側面を伝って軒下に直接落下することを確実に防止することができるとともに、接続部材の前片の上前片に降りかかった雨水を、樋本体に形成した副雨水通路に導入して排水することができる。
【００１１】
前片の上前片に降りかかった雨水を、雨樋の副雨水通路に導入するために、前片の下前片を延出するようにして接続部材の長手方向に連続する突出部を形成し、接続部材の上前片の上面と突出部の内面とにより、前片の上前片に降りかかった雨水を樋本体の副雨水通路に向けて導く副雨水通路を形成することができる。
【００１２】
また、上記の雨樋の接続部材を用いた本発明の雨樋の接続構造は、樋本体の副雨水通路を、樋本体の端部に配設した接続部材の位置で、樋本体に形成した主雨水通路に連通するようにしたことを特徴とする。
この場合、樋本体の副雨水通路を、接続部材により隣接する樋本体同士が接触しないように接続することにより形成した、隣接する樋本体間の隙間を介して、樋本体に形成した主雨水通路に連通するようにすることができる。
【００１３】
この雨樋の接続構造は、接続部材の前片の上前片に降りかかった雨水を、樋本体に形成した副雨水通路に導入した後、樋本体に形成した主雨水通路に排水することができる。
また、隣接する樋本体間の隙間を介して、樋本体に形成した主雨水通路に連通するように構成することにより、雨樋の接続構造を簡略化することができる。
【００１４】
【発明の実施の形態】
以下、本発明の雨樋の接続部材及びその接続構造の実施の形態を図面に基づいて説明する。
【００１５】
雨樋の接続部材及びその接続構造を適用した雨樋の参考例を図１〜図５に示す。
この雨樋の樋本体（軒樋）１は、住宅の軒先に設置して使用されるもので、図１に示すように、前壁１１と、前壁１１と対向する後壁１２と、底壁１３とからなり、屋根からの雨水を導入するために上部の一辺を開口し、内部に主雨水通路１０を形成した、全体が略五角形の角形断面形状をしている。そして、前壁１１、後壁１２、底壁１３は、それぞれほぼ平坦な面となった直線状をなしていて、角樋としての外観を備えている。
上記前壁１１は、その中程が外側（前方）に張り出すように形成されていて、その上半分の上前壁１１ａは斜め後上方に延出され、また、下半分の下前壁１１ｂは斜め前上方に延出されていて、前壁１１の中程に外側に張り出す張出部１４が形成されている。
この樋本体１は、合成樹脂又はアルミニウム等の金属を用いて押出成形や引抜き成形等の方法によって成形することができるが、この場合、各壁１１，１２，１３の厚みは、雨樋として必要とされる所定の強度を有するように、材質等に応じて、１〜２ｍｍ程度に設定するようにする。
【００１６】
この場合において、前壁１１の下前壁１１ｂの上端を斜め上方に延出するようにして、樋本体１の長手方向に連続する突出壁１５を形成し、樋本体１の上前壁１１ａの上面とこの突出壁１５の内面とにより樋本体１の端部に向けて雨水を導く、無孔の副雨水通路１６を形成するようにする。
このように構成することで、上前壁１１ａの上面に降りかかった雨水は、その上面を伝って副雨水通路１６にて受け止められる。
そして、強風等の際にも、樋本体１の上前壁１１ａの上面に降りかかった雨水を確実に副雨水通路１６にて受け止め、樋本体１の端部に向けて雨水を導くことができるように、突出壁１５の先端１５ａを、樋本体１の上前壁１１ａの上面と略平行となるように斜め後上方に屈曲させ、さらに、その先端を水平に方向に屈曲させて、上前壁１１ａの上面と平行で斜め上方向に向けて開放する副雨水通路１６を形成するようにする。
【００１７】
また、前壁１１及び後壁１２の上縁には、樋本体１の強度を高め、剛性を向上させて蛇行を防止し、さらに、樋吊金具及び接続部材２に係合、抱持される耳部１１ｃ，１２ａをそれぞれ形成するようにする。
【００１８】
このように、樋本体１の上前壁１１ａの上面と下前壁１１ｂを斜め上方に延出するようにして形成した突出壁１５の内面とにより樋本体１の端部に向けて雨水を導く、無孔の副雨水通路１６を形成することにより、前壁１１の上前壁１１ａの上面に降りかかった雨水を副雨水通路１６にて受け止めるとともに、前壁１１の張出部１４によって前壁１１の下前壁１１ｂの表面、すなわち、下前壁１１ｂの外面に雨水が降りかかることを阻止し、雨水が樋本体１の前壁１１の表面を伝って軒下に直接落下することを確実に防止することができるとともに、樋本体１の断面形状を均一化することができる。
なお、副雨水通路１６にて受け止められた雨水は、後述するように、接続部材２の位置で、樋本体１の主雨水通路１０に排水される。
【００１９】
また、樋本体１の上前壁１１ａ、下前壁１１ｂ及び底壁１３、このうち、特に、底壁１３は、それぞれ所定の曲率半径Ｒ１１ａ，Ｒ１１ｂ，Ｒ１３を以て外側に湾曲して形成することが好ましい。
そして、湾曲させる場合の曲率半径Ｒ１１ａ，Ｒ１１ｂ，Ｒ１３は、樋本体１の大きさ等によって任意に設定することができるが、例えば、底壁１３の長さＬの２〜４倍、さらに好ましくは、３倍程度に設定することが望ましく、通常の住宅用角形樋であれば、１５０〜５００ｍｍの曲率半径を有するように形成することが望ましいこととなる。
この場合、曲率半径が５００ｍｍより大きいと、湾曲の程度が少なすぎて変形を小さくできず、また、各壁の撓み、特に、内側への撓みが生じて接続部材２との密着性に劣るものとなる。
一方、曲率半径が１５０ｍｍより小さいと、樋本体１が丸味を帯びすぎて角形樋としての外観を維持できなくなる。
なお、後壁１２も同様の曲率半径を以て湾曲させてもよく、このように構成することにより、さらに、樋本体１の強度と接続部材２との密着性を向上することができる。
これにより、樋本体１の変形を小さくすることができ、さらには、樋本体１の各壁が内側に撓むことがなくなり、樋本体１の外面と接続部材２の内面の密着性を向上して、漏水を防止することができる。
【００２０】
図１に示す樋本体１の端部に配設する接続部材２の参考例を図２〜図３に示す。
この接続部材２は、上記の樋本体１同士を接続するために使用される樋継手と称せられるもので、上前片２１ａと下前片２１ｂとからなる前片２１と、前片２１と対向する後片２２と、底片２３とからなり、内部に樋本体１を密接して嵌入することができるように、樋本体１と同様、上部の一辺を開口した、全体が略五角形の角形断面形状をしている。
この接続部材２は、合成樹脂等を用いて射出成形等の方法によって成形することができるが、この場合、各片２１，２２，２３の厚みは、接続部材２として必要とされる所定の強度を有するように、材質等に応じて、１〜２ｍｍ程度に設定するようにする。
【００２１】
この場合において、上前片２１ａと下前片２１ｂとが連接されている前片２１の中程には、下前片２１ｂの上端から上前片２１ａと略平行に斜め後方に連接された連接片２４ｂと、さらに斜め下方に連接されたカバー片２４ｃとにより内側に開放したＣ形の係合部を兼ねた突出部２４を形成するようにする。
そして、前片２１の上前片２１ａに降りかかった雨水を、樋本体１の副雨水通路１６に導入するために、接続部材２の上前片２１ａの上面と、突出部２４の内側面、すなわち、カバー片２４ｃの上面とにより副雨水通路２６を形成するようにする。
これにより、前片２１の上前片２１ａの上面に降りかかった雨水を副雨水通路２６にて受け止め、樋本体１の副雨水通路１６に向けて導くとともに、前片２１の突出部２４によって前片２１の下前片２１ｂの表面、すなわち、下前片２１ｂの外面に雨水が降りかかることを阻止し、雨水が接続部材２の前片２１の表面を伝って軒下に直接落下することを確実に防止することができる。
【００２２】
また、前片２１及び後片２２の上縁には、樋本体１の上縁に形成した耳部１１ｃ，１２ａと係合して、樋本体１との接続を強固に行うための係合部２１ｃ，２２ａをそれぞれ形成するようにする。
この係合部２１ｃ，２２ａは、その長手方向の略中間位置に切欠部２１ｄ，２２ｂをそれぞれ形成することにより、必要に応じて係合部２１ｃ，２２ａを変形できるようにし、後述の接続作業を行いやすくするようにする。
【００２３】
また、後片２２の内面には、その長手方向の中央両側に、この接続部材２によって接続する、隣接する樋本体１，１間の隙間を規定するためのストッパ２５，２５を突設する。
このストッパ２５，２５は、前片２１又は底片２３に設けることもできるが、雨水の流れと樋本体１との接続作業性の点から、好ましくは、本参考例のように、後片２２に設けるようにする。
【００２４】
また、接続部材２の上前片２１ａ、下前片２１ｂ及び底片２３、このうち、特に、底片２３は、それぞれ所定の曲率半径Ｒ２１ａ，Ｒ２１ｂ，Ｒ２３を以て外側に湾曲して形成することが好ましい。
なお、湾曲させる場合の曲率半径Ｒ２１ａ，Ｒ２１ｂ，Ｒ２３は、湾曲して形成した樋本体１の上前壁１１ａ、下前壁１１ｂ及び底壁１３の曲率半径Ｒ１１ａ，Ｒ１１ｂ，Ｒ１３に合わせて設定するようにする。
これにより、樋本体１の外面と接続部材２の内面の密着性を向上して、漏水を防止することができる。
なお、樋本体１と接続部材２とは、さらに、接着剤等により固着することができる。
また、樋本体１の後壁１２を外側に湾曲して形成した場合には、接続部材２の後片２２も外側に湾曲して形成するようにする。
【００２５】
次に、上記の樋本体１と接続部材２の接続方法について説明する。
まず、２本の樋本体１，１を、接続部材２の後片２２の内面に形成したストッパ２５の間隔に合わせて、隣接する樋本体１，１間に隙間を形成するようにして、軒先に設置する。
そして、図４（ａ）に示すように、接続部材２の後片２２の内面に形成したストッパ２５により位置合わせをしながら、樋本体１の後壁１２の上縁に形成した耳部１２ａに、接続部材２の後片２２の上縁に形成した係合部２２ａを係止する。
そして、この係止点を中心にして接続部材２を上側に回転しながら、接続部材２内に樋本体１を嵌入して、接続部材２を樋本体１に沿わせるために、接続部材２を拡開、すなわち、接続部材２の後片２２の上縁に形成した係合部２２ａと前片２１の上縁に形成した係合部２１ｃの間隔が拡がるように接続部材２を変形させる。
この場合、樋本体１の後壁１２の上縁に形成した耳部１２ａと前壁１１の上縁に形成した耳部１１ｃの間隔が狭まるように樋本体１を変形させてもよい。
これにより、図４（ｂ）及び図５に示すように、接続部材２内に樋本体１を嵌入して、接続部材２を樋本体１に沿わせ、樋本体１の前壁１１の上縁に形成した耳部１１ｃに接続部材２の前片２１の上縁に形成した係合部２１ｃを嵌合することにより、隣接する樋本体１，１と接続部材２を一体化する。
この際、樋本体１の各壁１１ａ，１１ｂ，１３が外側に湾曲しているので、一体化する際に力が加わっても、各壁１１ａ，１１ｂ，１３が内側に撓むことがなく、さらに、樋本体１の各壁と接続部材２の各片との僅かな曲率半径の差は吸収されるので、隣接する樋本体１，１と接続部材２を密着状態で一体化することができる。
【００２６】
この接続部材２により、隣接する樋本体１，１を接続すると、接続部材２の各片２１，２２，２３が、樋本体１の各壁１１，１２，１３に密着する一方で、係合部を兼ねた突出部２４は突出壁１５を抱持するようになる。
そのため、樋本体１の上前壁１１ａの上面と、突出壁１５の内面と、接続部材２のカバー片２４ｃの内面とにより通水空間３が形成されるとともに、隣接する樋本体１，１間には、ストッパ２５，２５の間隔の隙間が形成されることとなる。
【００２７】
これにより、樋本体１の前壁１１の上前壁１１ａの上面に降りかかった雨水を、樋本体１に形成した副雨水通路１６にて受け止めるとともに、副雨水通路１６にて受け止めた雨水を、接続部材２の樋本体１の副雨水通路１６の位置に形成された通水空間３に流入させて通過させることができ、さらに、接続部材２の略中間位置において、隣接する樋本体１，１間の隙間を介して、樋本体１に形成した主雨水通路１０に排水することができる。
【００２８】
また、接続部材２の上前片２１ａの上面に降りかかった雨水を、接続部材２に形成した副雨水通路２６にて受け止めるとともに、副雨水通路２６にて受け止めた雨水を、樋本体１の前壁１１の上前壁１１ａの上面に降りかかった雨水と共に、副雨水通路２６から樋本体１の副雨水通路１６に導き、接続部材２の樋本体１の副雨水通路１６の位置に形成された通水空間３に流入させて通過させることができ、さらに、接続部材２の略中間位置において、隣接する樋本体１，１間の隙間を介して、樋本体１に形成した主雨水通路１０に排水することができる。
【００２９】
樋本体１の端部に配設する接続部材２の参考例の変形例を図６に示す。
この接続部材２は、上記参考例の接続部材２と同様、上記の樋本体１同士を接続するために使用される樋継手と称せられるもので、上前片２１ａと下前片２１ｂとからなる前片２１と、前片２１と対向する後片２２と、底片２３とからなり、内部に樋本体１を密接して嵌入することができるように、樋本体１と同様、上部の一辺を開口した、全体が略五角形の角形断面形状をしている。
【００３０】
この場合において、上前片２１ａと下前片２１ｂとが連接されている前片２１の中程には、下前片２１ｂの上端から上前片２１ａと略平行に斜め後方に連接された連接片２４ｂと、さらに斜め下方に連接されたカバー片２４ｃとにより内側に開放したＣ形の係合部を兼ねた突出部２４を形成するようにする。
なお、連接片２４ｂとカバー片２４ｃに囲まれた内部は、中実状に形成するようにする。
そして、前片２１の上前片２１ａに降りかかった雨水を、樋本体１の副雨水通路１６に導入するために、接続部材２の上前片２１ａの上面と、突出部２４の内側面、すなわち、カバー片２４ｃの上面とにより副雨水通路２６を形成するようにする。
これにより、前片２１の上前片２１ａの上面に降りかかった雨水を副雨水通路２６にて受け止めるとともに、前片２１の突出部２４によって前片２１の下前片２１ｂの表面、すなわち、下前片２１ｂの外面に雨水が降りかかることを阻止し、雨水が接続部材２の前片２１の表面を伝って軒下に直接落下することを確実に防止することができる。
【００３１】
なお、本変形例の接続部材２のその他の構成及び作用は、上記参考例の接続部材２と同様である。
【００３２】
樋本体１の端部に配設する接続部材２の一実施例を図７〜図９に示す。
この接続部材２は、上記参考例の接続部材２と同様、上記の樋本体１同士を接続するために使用される樋継手と称せられるもので、上前片２１ａと下前片２１ｂとからなる前片２１と、前片２１と対向する後片２２と、底片２３とからなり、内部に樋本体１を密接して嵌入することができるように、樋本体１と同様、上部の一辺を開口した、全体が略五角形の角形断面形状をしている。
【００３３】
この場合において、上前片２１ａと下前片２１ｂとが連接されている前片２１の中程には、下前片２１ｂの上端から上前片２１ａと略平行に斜め後方に連接された連接片２４ｂと、さらに斜め下方に連接されたカバー片２４ｃとにより内側に開放したＣ形の係合部を兼ねた突出部２４を形成するようにする。
そして、前片２１の上前片２１ａに降りかかった雨水を、樋本体１の副雨水通路１６に導入するために、前片２１の上前片２１ａの突出部２４に接する部分２１ｅを接続部材２の端部に向けて傾斜して形成するようにする。
これにより、前片２１の上前片２１ａの上面に降りかかった雨水を、接続部材２の両端部に向けて傾斜して形成した部分（傾斜面）２１ｅにて受け止め、図７（ａ）の矢印に示すように、接続部材２の端部に向けて導き、接続部材２の端部から樋本体１の副雨水通路１６に向けて導くとともに、前片２１の突出部２４によって前片２１の下前片２１ｂの表面、すなわち、下前片２１ｂの外面に雨水が降りかかることを阻止し、雨水が接続部材２の前片２１の表面を伝って軒下に直接落下することを確実に防止することができる。
【００３４】
この場合、傾斜面２１ｅは、特に限定されるものではないが、前片２１の上前片２１ａの高さ方向の略中間位置を起点として形成し、その傾斜角度θは、５〜３５゜、好ましくは、１５〜２５゜程度に設定するものとする。
また、本実施例においては、傾斜面２１ｅを、前片２１の上前片２１ａの幅方向の略中間位置を起点として、接続部材２の両端部に向けて対称に傾斜して形成するようにしたが、傾斜面を必ずしも対称に形成する必要はなく、傾斜面の起点を前片２１の上前片２１ａの幅方向の中間位置からずらして形成したり、接続部材２の一方の端部に形成する（傾斜面を片傾斜にする）こともできる。
【００３５】
なお、本実施例の接続部材２のその他の構成及び作用は、上記参考例の接続部材２と同様である。
また、本実施例の接続部材２において、上記参考例の接続部材２のように、接続部材２の上前片２１ａの上面と、突出部２４の内側面、すなわち、カバー片２４ｃの上面とにより副雨水通路を形成する構成を併用することもできる（図示省略）。
これにより、前片２１の上前片２１ａの上面に降りかかった雨水を、樋本体１の副雨水通路１６に向けてより確実に導くことができるものとなる。
【００３６】
樋本体１の端部に配設する接続部材２の実施例の変形例を図１０〜図１１に示す。
この接続部材２は、上記実施例の接続部材２と同様、上記の樋本体１同士を接続するために使用される樋継手と称せられるもので、上前片２１ａと下前片２１ｂとからなる前片２１と、前片２１と対向する後片２２と、底片２３とからなり、内部に樋本体１を密接して嵌入することができるように、樋本体１と同様、上部の一辺を開口した、全体が略五角形の角形断面形状をしている。
【００３７】
この場合において、上前片２１ａと下前片２１ｂとが連接されている前片２１の中程には、下前片２１ｂの上端から上前片２１ａと略平行に斜め後方に連接された連接片２４ｂと、さらに斜め下方に連接されたカバー片２４ｃとにより内側に開放したＣ形の係合部を兼ねた突出部２４を形成するようにする。
そして、前片２１の上前片２１ａに降りかかった雨水を、樋本体１の副雨水通路１６に導入するために、前片２１の上前片２１ａ全体を接続部材２の端部に向けて傾斜して形成するようにする。
これにより、前片２１の上前片２１ａの上面に降りかかった雨水を、接続部材２の両端部に向けて傾斜して形成した上前片２１ａにて受け止め、図１０（ａ）の矢印に示すように、接続部材２の端部に向けて導き、接続部材２の端部から樋本体１の副雨水通路１６に向けて導くとともに、前片２１の突出部２４によって前片２１の下前片２１ｂの表面、すなわち、下前片２１ｂの外面に雨水が降りかかることを阻止し、雨水が接続部材２の前片２１の表面を伝って軒下に直接落下することを確実に防止することができる。
【００３８】
なお、本変形例の接続部材２のその他の構成及び作用は、上記実施例の接続部材２と同様である。
【００３９】
以上、上記各実施例においては、接続部材として樋継手を例示したが、本発明の構成は、このほか、樋集水器、樋曲がり、樋止まり等にも適用することができる。
【００４０】
【発明の効果】
本発明の雨樋の接続部材によれば、接続部材の前片の中程を外側に張り出すように形成するとともに、この前片の上前片に降りかかった雨水を、雨樋の副雨水通路に導入するように構成することにより、雨水が雨樋の接続部材の外側面を伝って軒下に直接落下することを確実に防止することができるとともに、接続部材の前片の上前片に降りかかった雨水を、樋本体に形成した副雨水通路に導入して排水することができる。
【００４１】
また、本発明の雨樋の接続構造によれば、接続部材の前片の上前片に降りかかった雨水を、樋本体に形成した副雨水通路に導入した後、樋本体に形成した主雨水通路に排水することができる。
また、隣接する樋本体間の隙間を介して、樋本体に形成した主雨水通路に連通するように構成することにより、雨樋の接続構造を簡略化することができる。
【図面の簡単な説明】
【図１】  樋本体の一例を示す側面断面図である。
【図２】  雨樋の接続部材の参考例を示し、（ａ）は平面図、（ｂ）は側面図である。
【図３】  （ａ）は図２（ｂ）のＡ−Ａ線断面図、（ｂ）は図２（ｂ）のＢ−Ｂ線断面図である。
【図４】  樋本体と接続部材の接続方法を示す説明図である。
【図５】  樋本体と接続部材を接続した状態を示す平面図である。
【図６】  雨樋の接続部材の参考例の変形例を示し、（ａ）は平面図、（ｂ）は側面図である。
【図７】  本発明の雨樋の接続部材の一実施例を示し、（ａ）は平面図、（ｂ）は側面図である。
【図８】  同正面図である。
【図９】  図７（ａ）のＣ−Ｃ線断面図である。
【図１０】  本発明の雨樋の接続部材の実施例の変形例を示し、（ａ）は平面図、（ｂ）は側面図である。
【図１１】  図１０（ａ）のＤ−Ｄ線断面図である。
【符号の説明】
１      樋本体
１０    主雨水通路
１１    前壁
１１ａ  上前壁
１１ｂ  下前壁
１１ｃ  耳部
１２    後壁
１２ａ  耳部
１３    底壁
１４    張出部
１５    突出壁
１６    副雨水通路（樋本体）
２      接続部材
２１    前片
２１ａ  上前片
２１ｂ  下前片
２２    後片
２１ｃ  係合部
２１ｅ  傾斜面
２３    底片
２２ａ  係合部
２４    突出部
２６    副雨水通路（接続部材）
３      通水空間
【図１】
0003704237.tif 000002
【図２】
0003704237.tif 000003
【図３】
0003704237.tif 000004
【図４】
0003704237.tif 000005
【図５】
0003704237.tif 000006
【図６】
0003704237.tif 000007
【図７】
0003704237.tif 000008
【図８】
0003704237.tif 000009
【図９】
0003704237.tif 000010
【図１０】
0003704237.tif 000011
【図１１】
0003704237.tif 000012